(57)【要約】【課題】精度よくユーザの身体状況を推定し、ユーザの身体状況の変化に応じた情報を報知すること。【解決手段】携帯端末１は、センサ情報取得部５２と、状態算出部５３と、出力制御部５５と、を備える。センサ情報取得部５２は、対象者に関する生体情報を逐次取得する。センサ情報取得部５２は、対象者の行動に関する行動情報を取得する。状態算出部５３は、センサ情報取得部５２によって取得された生体情報と、センサ情報取得部５２によって取得された行動情報とに基づいて、対象者の身体状況を推定する。出力制御部５５は、状態算出部５３によって推定された対象者の身体状況に基づく情報を報知するように出力部２０を制御する。【選択図】図４
2017185192.tif 000002
【特許請求の範囲】
【請求項１】
対象者に関する生体情報を取得する第１の取得手段と、
前記対象者の行動に関する行動情報を逐次取得する第２の取得手段と、
前記第１の取得手段によって取得された前記生体情報と、前記第２の取得手段によって取得された前記行動情報とに基づいて、前記対象者の身体状況を推定する推定手段と、
前記推定手段によって推定された前記対象者の身体状況に基づく第１の情報を報知する報知手段と、
を備えることを特徴とする電子機器。
【請求項２】
前記第１の情報は、前記推定手段による推定結果に基づいて、ユーザに補給を促す旨の情報を含む、
ことを特徴とする請求項１に記載の電子機器。
【請求項３】
前記第１の情報は、前記推定手段による推定結果に基づいて、補給すべき補給物の種類又は補給タイミングの情報を含む、
ことを特徴とする請求項１又は２に記載の電子機器。
【請求項４】
前記推定結果と、前記対象者の身体状況に関する所定の基準とを比較する比較手段をさらに備え、
前記報知手段は、前記比較手段による比較結果に基づいて報知を行う、
ことを特徴とする請求項２又は３に記載の電子機器。
【請求項５】
前記対象者の生体情報に基づいて、当該対象者の身体状況に関する所定の基準を設定する基準設定手段を更に備える、
ことを特徴とする請求項１乃至４の何れか１項に記載の電子機器。
【請求項６】
前記対象者の周囲の環境の環境情報を取得する第３の取得手段を備え、
前記推定手段は、前記第３の取得手段によって取得された前記環境情報と、前記生体情報と、前記行動情報とに基づいて、前記対象者の身体状況を推定する、
ことを特徴とする請求項１乃至５の何れか１項に記載の電子機器。
【請求項７】
前記対象者の行動予定を取得する第４の取得手段を備え、
前記報知手段は、前記推定手段によって推定された前記対象者の身体状況と、前記第４の取得手段によって取得された前記対象者の行動予定に基づいて、前記第１の情報を報知する、
ことを特徴とする請求項１乃至６の何れか１項に記載の電子機器。
【請求項８】
前記第１の情報は、前記対象者の水分又は栄養分の補給のタイミング又は量に関する情報を含む、
ことを特徴とする請求項７に記載の電子機器。
【請求項９】
前記身体状況は、前記対象者の身体中の水分量又は栄養分の量の状況を含む、
ことを特徴とする請求項１乃至８の何れか１項に記載の電子機器。
【請求項１０】
前記推定手段は、前記対象者が水分又は栄養分の補給した場合、補給された前記水分量又は栄養分の量に基づいて、前記対象者の身体の状況を推定する、
ことを特徴とする請求項９に記載の電子機器。
【請求項１１】
前記推定手段は、環境又は前記対象者の身体の変化に基づいて、前記対象者の身体の状況を再推定する、
ことを特徴とする請求項１乃至８の何れか１項に記載の電子機器。
【請求項１２】
対象者に関する生体情報を取得する第１の取得ステップと、
前記対象者の行動に関する行動情報を逐次取得する第２の取得ステップと、
前記第１の取得ステップによって取得された前記生体情報と、前記第２の取得ステップによって取得された前記行動情報とに基づいて、前記対象者の身体状況を推定する推定ステップと、
前記推定ステップによって推定された前記対象者の身体状況に基づく情報を報知する報知ステップと、
を含むことを特徴とする報知方法。
【請求項１３】
コンピュータを、
対象者に関する生体情報を取得する第１の取得手段、
前記対象者の行動に関する行動情報を逐次取得する第２の取得手段、
前記第１の取得手段によって取得された前記生体情報と、前記第２の取得手段によって取得された前記行動情報とに基づいて、前記対象者の身体状況を推定する推定手段、
前記推定手段によって推定された前記対象者の身体状況に基づく情報を報知する報知手段、
として機能させることを特徴とするプログラム。
【発明の詳細な説明】
【技術分野】
【０００１】
本発明は、電子機器、報知方法及びプログラムに関する。
【背景技術】
【０００２】
従来より、入力された血糖値情報や運動量情報に基づいて目標のカロリーを消費できるような移動経路をユーザに報知し、該移動経路を移動するユーザの脈拍数が事前に推定した適正値から外れた際に、運動強度を変更するようアドバイスを報知する技術が記載されている（特許文献１参照）。
【先行技術文献】
【特許文献】
【０００３】
【特許文献１】特開２０１４−２０８３１４号公報
【発明の概要】
【発明が解決しようとする課題】
【０００４】
しかしながら、上述した特許文献１に記載の技術は、事前に算出した脈拍数の基礎値と現在の脈拍数とを比較して、現在の脈拍数が基準値を超えた場合に運動強度を下げるようユーザに報知するが、運動するユーザの身体状況は気温・湿度といったリアルタイムに変化する様々な要因から影響を受けて変化するため、予め算出した基準値では、例えば、ユーザの身体状況が急激に変化した場合に対応できないといった課題があり、必ずしもユーザにとって好適な報知が行えない虞があった。
【０００５】
本発明は、このような状況に鑑みてなされたものであり、ユーザの身体状況の変化に応じた情報を報知することを目的とする。
【課題を解決するための手段】
【０００６】
上記目的を達成するため、本発明の一態様の電子機器は、
対象者に関する生体情報を取得する第１の取得手段と、
前記対象者の行動に関する行動情報を逐次取得する第２の取得手段と、
前記第１の取得手段によって取得された前記生体情報と、前記第２の取得手段によって取得された前記行動情報とに基づいて、前記対象者の身体状況を推定する推定手段と、
前記推定手段によって推定された前記対象者の身体状況に基づく第１の情報を報知する報知手段と、
を備えることを特徴とする。
【発明の効果】
【０００７】
本発明によれば、ユーザの身体状況の変化に応じた情報を報知することができる。
【図面の簡単な説明】
【０００８】
【図１】本発明の一実施形態に係る携帯端末１のハードウェアの構成を示すブロック図である。
【図２】報知のパターンについて説明するための模式図である。
【図３】許容量の設定例を示すグラフである。
【図４】図１の携帯端末１の機能的構成のうち、状態管理処理を実行するための機能的構成を示す機能ブロック図である。
【図５】図４の機能的構成を有する図１の携帯端末１が実行する状態管理処理の流れを説明するフローチャートである。
【発明を実施するための形態】
【０００９】
以下、本発明の実施形態について、図面を用いて説明する。
【００１０】
図１は、本発明の一実施形態に係る携帯端末１のハードウェアの構成を示すブロック図である。
携帯端末１は、例えば、スマートウォッチ等のリスト端末として構成される。
【００１１】
携帯端末１は、図１に示すように、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、第１センサ部１６と、第２センサ部１７と、ＧＰＳ（Ｇｌｏｂａｌ  Ｐｏｓｉｔｉｏｎｉｎｇ  Ｓｙｓｔｅｍ）部１８と、入力部１９と、出力部２０と、記憶部２１と、通信部２２と、ドライブ２３と、を備えている。
【００１２】
ＣＰＵ１１は、ＲＯＭ１２に記録されているプログラム、又は、記憶部２１からＲＡＭ１３にロードされたプログラムに従って各種の処理を実行する。
【００１３】
ＲＡＭ１３には、ＣＰＵ１１が各種の処理を実行する上において必要なデータ等も適宜記憶される。
【００１４】
ＣＰＵ１１、ＲＯＭ１２及びＲＡＭ１３は、バス１４を介して相互に接続されている。このバス１４にはまた、入出力インターフェース１５も接続されている。入出力インターフェース１５には、第１センサ部１６、第２センサ部１７、ＧＰＳ部１８、入力部１９、出力部２０、記憶部２１、通信部２２及びドライブ２３が接続されている。
【００１５】
第１センサ部１６は、対象者の脈拍や血圧をセンシングした生体情報を取得可能な各種センサにより構成される。リスト端末により構成される携帯端末１においては、対象者の腕から脈拍や血圧をリアルタイムでセンシングする。
【００１６】
第２センサ部１７は、湿度、気温、気圧、天候等の対象者の周辺の環境をリアルタイムでセンシングした環境情報を取得可能な各種センサにより構成される。
【００１７】
ＧＰＳ部１８は、対象者が所持する自機の現在位置をリアルタイムでセンシングした位置情報を取得可能に構成される。
【００１８】
入力部１９は、各種釦等で構成され、ユーザの指示操作に応じて各種情報を入力する。
出力部２０は、ディスプレイやスピーカ等で構成され、画像や音声を出力する。
記憶部２１は、ハードディスク或いはＤＲＡＭ（Ｄｙｎａｍｉｃ  Ｒａｎｄｏｍ  Ａｃｃｅｓｓ  Ｍｅｍｏｒｙ）等で構成され、各種画像のデータを記憶する。
通信部２２は、インターネットを含むネットワークを介して他の装置（図示せず）との間で行う通信を制御する。
【００１９】
ドライブ２３には、磁気ディスク、光ディスク、光磁気ディスク、或いは半導体メモリ等よりなる、リムーバブルメディア３１が適宜装着される。ドライブ２３によってリムーバブルメディア３１から読み出されたプログラムは、必要に応じて記憶部２１にインストールされる。また、リムーバブルメディア３１は、記憶部２１に記憶されている画像のデータ等の各種データも、記憶部２１と同様に記憶することができる。
【００２０】
このように構成される携帯端末１では、ユーザの生体情報と、ユーザの行動情報と、ユーザの周囲の環境情報とから、身体状況である水分や栄養分の消費量を推定し、推定した消費量と、ユーザの生体情報とに基づいて、身体状況である水分や栄養分の残存量を推定する機能を有する。そして、携帯端末１では、推定した残存量が規定値を下回っていた場合には、アドバイスとして警告を行う機能を有する。なお、「生体情報」とは、例えば、血圧、心拍、体温等の対象者の生体活動の結果計測される情報を含むものである。また、「行動情報」とは、例えば、歩く、走る、山を登る等のユーザの活動を行動として捉えた情報を含むものである。また、「環境情報」とは、例えば、気温、湿度、天候等の対象者の周囲の環境の情報を含むものである。また、「身体状況」とは、対象者の身体中の水分量又は栄養分の量等の身体を構成する成分の状況を含むものである。
【００２１】
図２は、報知のパターンについて説明するための模式図である。
身体にそもそも蓄えられている水分や栄養分のようなものの場合には、図２（ａ）に示すように、活動することによって、発汗、代謝、運動等によって、水分や栄養分が消耗（消失／消費）していく。
携帯端末１では、水分や栄養分の残存量を推算して監視し、活動によって消耗が進み、水分や栄養分の残存量が許容量を超えた場合に、携帯端末１では、補給すべきタイミングであることや、補給すべき水分量・栄養分の量の報知（どのくらい水を補給すべきか、どのくらい食べ物を食べるべきか等の報知）が行われる。
その後、補給が行われた結果、残存量が増えた場合にも、携帯端末１では、補給を把握して、残存量を推算して監視する。
【００２２】
また、疲労の結果として蓄積する乳酸や老廃物等のようなものの場合には、図２（ｂ）に示すように、活動によって疲労が蓄積することで蓄積量が増加する。
携帯端末１では、増加する乳酸や老廃物を推算して監視し、活動によって蓄積が進み、乳酸や老廃物等の蓄積量が許容量を超えた場合に、携帯端末１では、補給・休憩・排出を促す等の報知が行われる。
その後、補給・休憩・排出が行われた結果、蓄積量が減った場合にも、携帯端末１では、補給・休憩・排出を把握して、蓄積量を推算して監視する。
なお、推算に際しては、個体の状態や周囲の環境を考慮して行う。
【００２３】
本実施形態においては、残存量は、例えば、以下の式（１）により算出する。
残存量＝個体に対応する総量−所定の環境下での個体に応じた消費量・・・（１）
「個体に対応する総量」は、対象の個体情報（身長×体重）を用いて、例えば、個体別（身長×体重別）の総量の統計の一般データ（本実施形態においては、後述する個体別総量情報）を参照することにより、割り出す。
「所定の環境下での個体に応じた消費量」は、対象の個体情報（身長×体重）を用いて、所定の環境下（例えば、所定の温度×湿度条件下）における身長と体重別の運動量における消費量の一般データ（本実施形態においては、後述する環境個体別消費量情報）を参照することにより割り出す。「運動量」は、例えば、脈拍と移動速度から算出した運動強度（ＭＥＴｓ）から割り出す。
また、算出された残存量を用いて、生命の維持が正常にできることが許容される量（以下、「許容量」という。）との差分から危険状態を判断したり、危険状態となる時期を予測したりする。「許容量」は、例えば、個体別（身長×体重別）の許容量の統計の一般データ（本実施形態においては、後述する個体別許容量情報）を参照することにより、割り出す。
【００２４】
例えば、携帯端末１では、運動スポーツ時における運動時間を計測し、運動時間の経過毎に（心拍数や酸素摂取量、ＭＥＴｓ値など）運動強度を計測し、生体センサや運動センサとして機能する第１センサ部１６と、気温、湿度、気圧等の周囲の環境を検出する環境センサとして機能する第２センサ部１７とを備える。
【００２５】
（１）第１センサ部１６からの運動時間の経過毎の運動強度の推移データに応じて、安静時、休息時、及び運動時による消費カロリー、さらには脂肪の燃焼量、グリコーゲン（糖質、炭水化物）の燃焼量等を推算表示する。
また、第１センサ部１６からの運動時間の経過毎の運動強度の推移データに応じて、当該運動時に消費される水分量を算出して表示する。
（２）第１センサ部１６からの運動時間の経過毎の運動強度の推移データと、第２センサ部１７からの環境情報の推移データに基づいて、運動に伴って放散される熱量、発汗量、もしくは失われる水分量を推算して表示する。
（３）事前に登山やマラソンなどの走破距離や到達高度等の目標を設定することで、目標と、目標到達度を刻々と推算して表示する。
また、性別、年齢、体重等のユーザの個体情報と、個体に応じた酸素消費量、酸素摂取量、安静時・最高時の心拍数等の体力に係る情報とに基づいて、ユーザ体内に蓄積されるグリコーゲン量、水分量の総量を設定しておき、第１センサ部１６からの運動時間の経過毎の運動強度の推移データ、第２センサ部１７からの環境データ及び運動途中での栄養や水分の補給イベントの入力に基づいて、運動に伴って消費されるグリコーゲン、水分の消費量を総量から順次減算していき、グリコーゲンと水分の残存量の推算結果を刻々表示する。推算結果は、例えば、デジタル推算値や時系列グラフで、表示させるように構成することもできる。
【００２６】
また、許容量は、個体を通じて予め設定するように構成することができるが、例えば、環境の変化や運動強度の変化に応じてリアルタイムに許容量を再設定するように構成してもよい。具体的には、環境の変化として気温が上ったり、運動強度の変化として激しい運動になったりした場合には、許容量を上げるようにし、環境の変化として気温が下がったり、運動強度の変化として控えめの運動になったりした場合には、許容量を下げるように構成することができる。
【００２７】
また、ユーザの身体の状況の変化に応じて、許容量を再設定するように構成してもよい。例えば、発熱、腹痛、体調不良等のユーザの身体の状況に応じて、許容量を上げるように構成することができる。
【００２８】
図３は、許容量の設定例を示すグラフである。
許容量は、許容の程度に応じて、複数設けるように構成してもよい。図３（ａ）の例では、残存量において注意を要するレベル［注意］、警戒を要するレベル［警戒］、警告を要するレベル［警告］に応じて、それぞれ許容量Ａ，許容量Ｂ，許容量Ｃの許容量が設定される。
各レベルに対応する許容量を超えた場合には、レベルに対応するメッセージを持ってユーザに許容量を超えた旨、補給物の種類、補給までの時間、緊急性の程度等を報知する。
【００２９】
例えば、ランニングを一定時間行っている場合、ユーザの体内のカロリーが消費されていくことで、ユーザの体内のカロリーの残存量が［注意］の許容量を超える。ユーザの体内のカロリーの残存量が［注意］の許容量を超えた場合、例えば、「数時間以内にカロリー摂取のために軽食を食べたほうが良い。」という旨を報知する。その後、ユーザによるカロリーの摂取が行われずに、ランニングをし続けることによって、ユーザの体内のカロリーの残存量が［警戒］の許容量を超えた場合には、［注意］の許容量を超えたときとは補給物を変え、摂取までの時間を短くして、「数分以内に甘いものを摂取して下さい。」という旨を報知する。その後、さらに、カロリーの摂取が行われずに、ランニングをし続けることによって、ユーザの体内のカロリーの残存量が［警告］の許容量を超えた場合には、［警戒］の許容量を超えたときとは、補給物を変え、さらに摂取までの時間を短くして、「すぐにカロリーの高く、吸収効率のよいものを摂取して下さい。」という旨を報知する。
【００３０】
また、消費量は、気温や湿度といったユーザが置かれた環境や、ユーザの運動の内容（運動強度）、ユーザの健康状態等から、消費の傾向を推定することができる。また、消費量の減少傾向の大小に応じて、報知内容を変えるように構成してもよい。
図３（ｂ）の例に示すように、消費量の減少傾向が大きい場合（減少傾向［大］）と、消費による減少傾向が小さい場合（減少傾向［小］）とで、ユーザのカロリーの残存量が許容量を超えた際の報知内容を変更してもよい。減少傾向［大］の場合には、吸収効率のよいもの・緊急性が高いことを報知内容として示唆してもよいし、減少傾向［小］の場合には、緊急性が低いことを報知内容として示唆するようにしてもよい。
【００３１】
また、消費量の減少傾向は、置かれた環境、運動の内容（運動強度）、ユーザの健康状態等によって判断してもよい。例えば、猛暑時にランニングをしているような場合には、水分やカロリーが共に急速に減少するため、減少傾向［大］として判断してもよい。減少傾向［大］の状態で許容量を超えた場合には、例えば、「すぐ、スポーツドリンクのような吸収効率のよいものを摂取して下さい。」という報知を行うようにしてもよい。
涼しい中、ウォーキングをしている場合には、水分やカロリーは緩やかに減少するため、減少傾向［小］として判断する。減少傾向［小］の状態で許容量を超えた場合には、例えば、「タイミングがよいときに、軽食を摂取するようにして下さい。」という報知を行うようにしてもよい。
また、推定された消費量の減少傾向と、設定された許容量のレベルとを組み合わせて、ユーザへの報知内容を変えるように構成してもよい。
【００３２】
図４は、図１の携帯端末１の機能的構成のうち、状態管理処理を実行するための機能的構成を示す機能ブロック図である。
状態管理処理とは、対象者の個体情報から割り出される総水分量から、運動状態に応じて、消費量を割り出し、現状の水分量を監視しながら、許容量を超えた場合に、警告する一連の処理をいう。
【００３３】
状態管理処理を実行する場合には、図４に示すように、ＣＰＵ１１において、情報設定部５１と、センサ情報取得部５２と、状態算出部５３と、状態判定部５４と、出力制御部５５と、状況判定部５６と、が機能する。
【００３４】
また、記憶部２１の一領域には、ログ情報記憶部７１と、個体別情報記憶部７２と、が設けられる。
【００３５】
ログ情報記憶部７１には、第１センサ部１６から取得した生体情報と、第２センサ部１７から取得した環境情報とが、ＧＰＳ部１８から取得した生体情報及び環境情報の取得時点の位置と時刻に対応付けられてログ情報として記憶される。
【００３６】
個体別情報記憶部７２には、統計によって導き出された個体別（身長×体重別）の総量（本実施形態においては、水分の総量）の情報（以下、「個体別総量情報」という。）と、所定の環境下（湿度×気温別）における個体別（身長×体重別）の運動量での消費量（本実施形態においては、水分の消費量）の情報（以下、「環境個体別消費量情報」という。）と、個体別の危険な状態とならない許容量（以下、「個体別許容量」という。）が個体別情報として記憶される。
【００３７】
情報設定部５１は、ユーザによる入力部１９に対する入力操作により、管理対象のユーザの個体情報（性別，年齢，身長，体重等）と、歩行するコースの情報等の運動量に係る目標の情報（以下、「目標情報」という。）を設定する。なお、情報設定部５１は、ユーザによって、個体別総量情報、環境個体別消費量情報、個体別許容量等の基準値を設定するように構成してもよい。
【００３８】
センサ情報取得部５２は、第１センサ部１６及び第２センサ部１７から出力されるセンサ情報をログ情報として取得する。
例えば、センサ情報取得部５２は、第１センサ部１６から脈拍、血圧等の生体情報、及び生体情報を取得した時刻を取得し、ログ情報記憶部７１にログ情報として記憶させる。
また、センサ情報取得部５２は、第２センサ部１７から湿度、気温、気圧、天候等の環境情報と、環境情報を取得した位置・時刻を取得し、ログ情報記憶部７１にログ情報として記憶させる。
【００３９】
状態算出部５３は、ユーザの身体状況の変化の指標となる消費量、残存量及び許容量を算出する。
例えば、状態算出部５３は、以下の手順により、消費量を算出する。
まず、状態算出部５３は、ユーザの脈拍といった生体情報と移動距離とから運動量を割り出す。
そして、状態算出部５３は、個体情報、環境情報及び割り出した運動量に基づいて、個体別情報記憶部７２に記憶される環境個体別消費量情報を参照して、該当する環境下におけるユーザの消費量を算出する。
【００４０】
また、状態算出部５３は、以下の手順により、残存量を算出する。
まず、状態算出部５３は、個体情報に基づいて、個体別情報記憶部７２に記憶される個体別総量情報を参照して、該当する総量を導き出す。
そして、状態算出部５３は、導き出された総量から、算出した消費量を引くことで、残存量を算出する。
【００４１】
また、状態算出部５３は、水分を摂取する、食事を行う等の補給があった場合には、補給分を残存量に追加する。
【００４２】
また、状態算出部５３は、以下の手順により、許容量を算出する。
例えば、状態算出部５３は、個体情報に基づいて、許容量を算出する。
環境や運動強度に変化があった場合には、状態算出部５３は、環境や運動強度を加味して、許容量の再計算を行う。状態算出部５３は、環境の変化として気温が上ったり、運動強度の変化として激しい運動になったりした場合には、許容量を上げるようにし、環境の変化として気温が下がったり、運動強度の変化として控えめの運動になったりした場合には、許容量を下げる。
【００４３】
また、許容量は、ユーザの設定等により、レベルを設けて設定することができる。
例えば、図３（ａ）に示すように、［注意］の許容量、［警戒］の許容量、［警告］の許容量を設定することができる。
この場合、状態算出部５３は、例えば、算出した許容量を［警告］の許容量として、軽微な方向（プラス方向）に対して所定の割合を加味して、［警戒］の許容量とし、さらに所定の割合を加味して、［注意］の許容量として設定してもよいし、［警戒］の許容量として、軽微な方向（プラス方向）に対して所定の値を加味して［注意］の許容量とし、重篤な方向（マイナス方向）に対して所定の値を加味して［警告］の許容量として設定してもよい。
【００４４】
状態判定部５４は、対象者の置かれている環境や対象者の状態を判定する。
状態判定部５４は、例えば、ログ情報記憶部７１に記憶されるログ情報のうち、直近と現在の湿度、気温、天候等の環境情報から、対象者の置かれている環境や環境の変化を判定する。また、状態判定部５４は、状態算出部５３によって割り出された運動量等に基づいて、運動強度を判定する。
【００４５】
また、状態判定部５４は、例えば、現在の残存量が許容量を超えているか否かを判定する。
状態判定部５４は、個体情報に基づいて、個体別情報記憶部７２に記憶される個体別許容量情報を参照して、個体の許容量を導き出す。
状態判定部５４は、導き出した許容量と、状態算出部５３によって算出された残存量とを比較して、残存量が許容量を超えているか否かを判定する。
残存量が許容量を超えていると判定される場合には、残存量がユーザの生命維持に必要な量として不足している状態となり、警戒の対象となる。
【００４６】
出力制御部５５は、表示を行うように出力部２０を制御する。
例えば、出力制御部５５は、残存量が許容量を超えていると状態判定部５４に判定された場合には、残存量がユーザの生命維持に必要な量として不足しており、補給や休憩が必要である旨を報知するように出力部２０を制御する。
出力部２０では、メッセージの表示や音声によるアナウンス、光や音、振動による警戒での促し等の出力が行われ、ユーザに補給タイミングと補給量に関する注意喚起がなされる。
【００４７】
状況判定部５６は、第１センサ部１６からの生体情報やユーザによる入力部１９に対する入力操作等により、補給や休憩が行われたか否かを判定する。また、状況判定部５６は、補給や休憩の有無に加えて、補給量や休憩時間等の補給と休憩の内容についても判定することができる。
【００４８】
図５は、図４の機能的構成を有する図１の携帯端末１が実行する状態管理処理の流れを説明するフローチャートである。
状態管理処理は、ユーザによる入力部１９への状態管理処理開始の操作により開始される。
【００４９】
ステップＳ１１において、情報設定部５１は、ユーザによる入力部１９に対する入力操作により、管理対象の個体情報（性別，年齢，身長，体重等）と、移動するコースや運動の目標等の目標情報を設定する。
【００５０】
ステップＳ１２において、状態算出部５３は、管理対象の個体情報（性別，年齢，身長，体重等）に基づいて、許容量を算出して設定する。
【００５１】
ステップＳ１３において、センサ情報取得部５２は、第１センサ部１６から脈拍、血圧等の生体情報、生体情報を取得した時刻を逐次取得し、ログ情報記憶部７１にログ情報として記憶させる。
【００５２】
ステップＳ１４において、センサ情報取得部５２は、第２センサ部１７から湿度や気温等の環境情報と、環境情報を取得した位置・時刻をＧＰＳ部１８から逐次取得し、ログ情報記憶部７１にログ情報として記憶させる。
【００５３】
ステップＳ１５において、状態判定部５４は、環境・運動強度が変化したかを判定する。状態判定部５４は、例えば、ログ情報記憶部７１に記憶されるログ情報のうち、直近と現在の湿度、気温、天候等の環境情報に基づいて、環境の変化を判定する。また、状態判定部５４は、例えば、ログ情報記憶部７１に記憶されるログ情報のうち、生体情報に基づいて、運動強度の変化を判定する。
環境・運動強度が変化していない場合には、ステップＳ１５においてＮＯと判定されて、処理はステップＳ１７に進む。
環境・運動強度が変化した場合には、ステップＳ１５においてＹＥＳと判定されて、処理はステップＳ１６に進む。
【００５４】
ステップＳ１６において、状態算出部５３は、変化した環境・運動強度に応じて、許容量を修正する。状態算出部５３は、環境や運動強度を加味して、許容量の再計算を行って修正する。状態算出部５３は、環境の変化として気温が上ったり、運動強度の変化として激しい運動になったりした場合には、許容量を上げるようにし、環境の変化として気温が下がったり、運動強度の変化として控えめの運動になったりした場合には、許容量を下げる。
【００５５】
ステップＳ１７において、状態算出部５３は、取得した個体情報、生体情報、環境情報に基づいて、消費量（本実施形態においては、水分の消費量）を算出する。
例えば、状態算出部５３は、生体情報と移動距離から運動量を割り出し、個体情報、環境情報及び割り出した運動量に基づいて、個体別情報記憶部７２に記憶される環境個体別消費量情報を参照して、該当する環境下における個体別の消費量を算出する。
また、状態算出部５３は、環境・運動強度が変化した場合、現時点の環境や運動強度ではなく、変化分を加味して、変化から予想される消費量を算出する。
【００５６】
ステップＳ１８において、状態算出部５３は、個体情報と、算出した消費量に基づいて、残存量（本実施形態においては、水分の残存量）を算出する。
例えば、状態算出部５３は、個体情報に基づいて、個体別情報記憶部７２に記憶される個体別総量情報を参照して、該当する総量を導き出し、導き出された総量から、算出した消費量を引くことで、残存量を算出する。
【００５７】
ステップＳ１９において、状態判定部５４は、残存量が許容量を超えたか否かを判定する。例えば、状態判定部５４は、個体情報に基づいて、個体別情報記憶部７２に記憶される個体別許容量情報を参照して、個体の許容量を導き出し、導き出した許容量と、状態算出部５３によって算出された残存量とを比較して、残存量が許容量を超えているか否かを判定する。
残存量が許容量を超えていない場合には、ステップＳ１９においてＮＯと判定されて、処理はステップＳ２１に進む。
残存量が許容量を超えている場合には、ステップＳ１９においてＹＥＳと判定されて、処理はステップＳ２０に進む。
【００５８】
ステップＳ２０において、出力制御部５５は、残存量が許容量を超えているために、個体としては水分が不足している状況になっている。そのため、補給や休憩を促す警告を出力するように出力部２０を制御する。出力部２０は、例えば、アラームや警告メッセージを出力して、ユーザに注意喚起をする。
【００５９】
ステップＳ２１において、状況判定部５６は、補給や休憩が行われたか否かを判定する。休憩は、例えば、入力部１９へのユーザによる入力操作や、生体情報から判定したりする。補給は、ユーザによる補給の対象や量の入力により判定したりする。
補給や休憩がない場合には、ステップＳ２１においてＮＯと判定されて、処理はステップＳ２３に進む。
補給や休憩があった場合には、ステップＳ２１においてＹＥＳと判定されて、処理はステップＳ２２に進む。
【００６０】
ステップＳ２２において、状態算出部５３は、補給分や休憩により回復した分を残存量に追加する。状態算出部５３は、例えば、補給量を残存量に加算して追加する。
【００６１】
ステップＳ２３において、ＣＰＵ１１は、所定時間が経過したか否かを判定する。
所定時間が経過していない場合には、ステップＳ２３においてＮＯと判定されて、処理は待機状態になる。
所定時間が経過した場合には、ステップＳ２３においてＹＥＳと判定されて、処理はステップＳ２４に進む。
【００６２】
ステップＳ２４において、ＣＰＵ１１は、入力部１９に対して、ユーザによる処理終了操作があったか否かを判定する。
処理終了操作がない場合には、ステップＳ２４においてＮＯと判定されて、処理はステップＳ１３に戻る。
処理終了操作があった場合には、ステップＳ２４においてＹＥＳと判定されて、状態管理処理は終了する。
【００６３】
携帯端末１では、対象者の個体情報から保持している総水分量を割り出して、運動と、周囲の環境から消費量を推定するように構成したが、個体情報や運動量から、消費量が分かる、例えば、カロリー、エネルギー等で構成してもよい。
【００６４】
また、携帯端末１では、目標情報を用いて、目標達成までのアドバイスを行うように構成してもよい。この場合、目標達成に向けた補給や休憩のアドバイスや、目標達成可能な残存量の維持管理を行う。
【００６５】
また、携帯端末１では、直近所定時間における消費量等の変化から、未来における消費量等の予測を行って、報知等行うことができる。報知は、単に許容量との関係に限らず、現在の状態や変遷をグラフ表示したり等を行うことができる。
【００６６】
＜変形例＞
上述した実施形態では、水分量を例にして示したが、例えば、以下に示すように、消費カロリー、脂肪・糖質の燃焼量、発汗量等を推算することができる。
【００６７】
＜生活活動による消費カロリーの推算例＞
消費カロリー［ｋｃａｌ］＝（身体活動レベル１．０）×性別年齢別・基礎代謝基準値［ｋｃａｌ／ｋｇ／分］×体重［ｋｇ］×生活時間［分］
＜登山時の消費カロリーの推算例＞
登山時の消費カロリー［ｋｃａｌ］＝４．９９×（１０＾（−６）×（登山の負荷）＾２＋０．０００９×（登山の負荷）＋０．７３）×運動時間［分］
なお、登山の負荷［仕事量］［ｋｇ・ｍ／分］＝［体重＋荷重］［ｋｇ］×上下方向の移動量／移動時間］［ｍ／分］
＜ウォーキング時の消費カロリーの推算例＞
ウォーキング時の消費カロリー［ｋｃａｌ］＝０．０２８３÷（１−（運動速度［ｍ／分］／基準速度２４２））＾２×運動時間［分］×体重［ｋｇ］×性別年齢別補正値
＜ジョギング／ランニング時の消費カロリーの推算例＞
ジョギング／ランニング時の消費カロリー［ｋｃａｌ］＝０．００４９２×（０．２×速度［ｍ／分］＋３．５）×運動時間［分］×体重［ｋｇ］×性別年齢別補正値
＜その他の運動の消費カロリーの推算例＞
その他の運動の消費カロリー［ｋｃａｌ］＝性別年齢別・基礎代謝基準値［ｋｃａｌ／ｋｇ／ｍｉｎ］×［運動強度［ＲＭＲ］＋１．２］×運動時間［分］×体重［ｋｇ］又は、＝１．０５×運動強度［ＭＥＴｓ］×運動時間［分］／６０×体重［ｋｇ］×性別年齢別補正値
＜心拍数による消費カロリーの推算例＞
心拍数による消費カロリー［ｋｃａｌ］＝酸素摂取量［ｍｌ／ｋｇ／分］×０．００４９２［ｋｃａｌ／ｍｌ］×運動時間［分］×体重［ｋｇ］×性別年齢別補正値
なお、酸素摂取量［ｍｌ／ｋｇ／分］＝［非熟練者：０．２８，熟練者：０．３２５］×心拍数［拍／分］−１８
【００６８】
＜脂肪の燃焼量の推算例＞
燃焼脂肪量［ｇ］＝消費カロリー［ｋｃａｌ］×脂肪燃焼率［％］／７．２［ｋｃａｌ／ｇ］
なお、脂肪燃焼率［％］＝５１〜５０％←運動強度［最大酸素摂取割合：％ＶＯ２ｍａｘ］＝３０〜４０％，脂肪燃焼率［％］＝４７〜４２％←運動強度［最大酸素摂取割合：％ＶＯ２ｍａｘ］＝５０〜６０％，脂肪燃焼率［％］＝〜３３％←運動強度［最大酸素摂取割合：％ＶＯ２ｍａｘ］＝７０〜％
＜糖質の燃焼量＞
燃焼糖質量［ｇ］＝消費カロリー［ｋｃａｌ］×糖質燃焼率［％］／７．２［ｋｃａｌ／ｇ］
なお、糖質燃焼率［％］＝１００％−脂肪燃焼率、脂肪燃焼率［％］＝５１〜５０％←運動強度［最大酸素摂取割合：％ＶＯ２ｍａｘ］＝３０〜４０％，脂肪燃焼率［％］＝４７〜４２％←運動強度［最大酸素摂取割合：％ＶＯ２ｍａｘ］＝５０〜６０％，脂肪燃焼率［％］＝〜３３％←運動強度［最大酸素摂取割合：％ＶＯ２ｍａｘ］＝７０〜％
＜心拍数から運動強度［最大酸素摂取割合：％ＶＯ２ｍａｘ］を算出＞
運動強度［最大酸素摂取割合：％ＶＯ２ｍａｘ］＝酸素摂取量［ＶＯ２］［ｍｌ／［ｋｇ・分］／最大酸素摂取量［ｍｌ／［ｋｇ・分］×１００
なお、酸素摂取量［ｍｌ／ｋｇ／分］＝［非熟練者：０．２８，熟練者：０．３２５］×心拍数［拍／分］−１８
又は、運動強度［最大酸素摂取割合：％ＶＯ２ｍａｘ］＝％ＨＲｍａｘ＝［心拍数［拍／分］−安静時心拍数］／［最高心拍数／安静時心拍数］
＜運動強度（ＭＥＴｓ又はＲＭＲ）から対応する運動強度（最大酸素摂取割合：％ＶＯ２ｍａｘ）を算出＞
ＭＥＴｓ＝３．０〜３．８→％ＶＯ２ｍａｘ＝４０％，ＭＥＴｓ＝４．６→％ＶＯ２ｍａｘ＝５０％，ＭＥＴｓ＝５．５→％ＶＯ２ｍａｘ＝６０％，ＭＥＴｓ＝６．３〜７．２→％ＶＯ２ｍａｘ＝７０％，ＭＥＴｓ＝８．０→％ＶＯ２ｍａｘ＝８０％，
＜登山時の発汗量［湿度４０〜６０％の場合］の推算＞
発汗量［ｍｌ／時］≒−０．１５×気温Ｔ［℃］＾２＋０．５５×湿度ＲＨ［％］＋１．８５×湿度ＲＨ［％］ただし、体重＋荷重＝７５ｋｇ、高度獲得速度＝２５０ｍ／時のとき
又は、≒｛−０．００２×気温Ｔ［℃］＾２＋０．００７３×湿度ＲＨ［％］×気温Ｔ［℃］＋０．０２４７×湿度ＲＨ［％］×［体重＋荷重］Ｗ［ｋｇ］×（上下方向の移動速度］［ｍ／時］／２５０
又は、≒２［ｍｌ］×体重［ｋｇ］×運動時間［時］
【００６９】
また、推算にあたり、予め個人プロファイルの設定を行うように構成してもよい。
例えば、個人プロファイルは、例えば、年齢・性別・身長・体重・荷重、年齢性別基礎代謝基準値・年齢性別補正値、平時常時の身体活動レベル１〜３、ＣｏｏｐｅｒＴｅｓｔ、簡易体力テスト、Ｕｔｈ−Ｓｏｒｅｎｓｅｎ−Ｏｖｅｒｇａａｒｄ−Ｐｅｄｅｒｓｅｎ推定（最大心拍数、安静時心拍数）等により最大酸素摂取量等の体力レベル、年齢による最高心拍数を算出して設定する。
【００７０】
携帯端末１では、従来の歩数計やフィットネストラッカーのように、（歩数や走行距離などの）運動量や運動実績、消費カロリー量、脂肪燃焼量などを推測するだけでなく、運動に伴うグリコーゲン（または糖質、炭水化物）の消費量、水分の消費量（発汗量）などを推測して、登山やマラソンなどの比較的きついスポーツや、予想外に水分や栄養、体力などを消費するような運動の場合であっても、身体に危険が伴う前に、警告や予測して報知するように構成した。
これにより、ユーザは、より安全に、また自分のペースや体力を温存して、運動を続けることができるようになる。
【００７１】
以上のように構成される携帯端末１は、センサ情報取得部５２と、状態算出部５３と、出力制御部５５と、を備える。
センサ情報取得部５２は、対象者に関する生体情報を逐次取得する。
センサ情報取得部５２は、対象者の行動に関する行動情報を取得する。
状態算出部５３は、センサ情報取得部５２によって取得された生体情報と、センサ情報取得部５２によって取得された行動情報とに基づいて、対象者の身体状況を推定する。
出力制御部５５は、状態算出部５３によって推定された対象者の身体状況に基づく情報を報知するように出力部２０を制御する。
これにより、携帯端末１においては、ユーザの身体状況の変化に応じたユーザに栄養分又は水分の補給を促す情報を報知する。
【００７２】
報知される情報には、状態算出部５３による推定結果に基づいて、ユーザに補給を促す旨の情報を含む。
これにより、携帯端末１においては、ユーザの身体状況の変化に応じて、ユーザに補給を促す旨の情報を報知することができる。
【００７３】
報知される情報には、状態算出部５３による推定結果に基づいて、補給すべき補給物の種類又は補給タイミングの情報を含む。
これにより、携帯端末１においては、ユーザの身体状況の変化に応じて、補給すべき補給物の種類又は補給タイミングの情報を報知することができる。
【００７４】
センサ情報取得部５２は、対象者の生体に関する生体情報をリアルタイムで取得し、対象者の行動に関する行動情報をリアルタイムで取得する。
状態算出部５３は、センサ情報取得部５２によって取得された生体情報と、行動情報とに基づいて、対象者の身体状況の変化を推定する。
これにより、携帯端末１においては、現状に基づいて、ユーザの身体状況の変化に応じた情報を報知することができる。
【００７５】
携帯端末１は、推定結果と、対象者の身体状況に関する所定の基準とを比較する状態判定部５４をさらに備える。
出力制御部５５は、状態判定部５４による比較結果に基づいて報知を行うように出力部２０を制御する。
これにより、携帯端末１においては、身体状態の悪化を未然に防ぐため報知を簡単に行うことができる。
【００７６】
携帯端末１は、対象者の生体情報に基づいて、当該対象者の身体状況に関する所定の基準を設定する情報設定部５１を更に備える。
これにより、携帯端末１においては、設定した基準に基づいて、身体状態の悪化を未然に防ぐため報知を簡単に行うことができる。
【００７７】
センサ情報取得部５２は、対象者の周囲の環境の環境情報を取得する。
状態算出部５３は、センサ情報取得部５２によって取得された環境情報と、生体情報と、行動情報とに基づいて、対象者の身体状況を推定する。
これにより、携帯端末１においては、環境情報と、生体情報と、行動情報とに基づいて、対象者の身体状況を推定するために、ユーザの身体状況の変化に応じた情報をより精度高く推定することができる。
【００７８】
センサ情報取得部５２は、対象者の行動予定を取得する。
前記出力制御部５５は、前記状態算出部５３によって対象者の身体状況と、センサ情報取得部５２によって取得された対象者の行動予定に基づいて、情報を報知するように出力部２０を制御する。
これにより、携帯端末１においては、行動予定に基づいて、ユーザの身体状況の変化に応じた情報を報知することができる。
【００７９】
情報は、対象者の水分又は栄養分の補給のタイミング又は量に関する情報を含む。
これにより、携帯端末１においては、対象者の水分又は栄養分の補給のタイミング又は量に関する情報を報知することができる。
【００８０】
身体状況は、対象者の身体中の水分量又は栄養分の量の状況を含む。
これにより、携帯端末１においては、対象者の身体中の水分量又は栄養分の量の状況に起因する情報を報知することができる。
【００８１】
状態算出部５３は、対象者が水分又は栄養分の補給した場合、補給された水分量又は栄養分の量に基づいて、対象者の身体の状況を推定する。
これにより、携帯端末１においては、身体の状況の回復も加味して、ユーザの身体状況の変化に応じた情報を報知することができる。
【００８２】
なお、本発明は、上述の実施形態に限定されるものではなく、本発明の目的を達成できる範囲での変形、改良等は本発明に含まれるものである。
【００８３】
上述の実施形態では、マラソンや登山にとって重要な、（心拍数や運動強度など）運動強度と運動時間、（気温、湿度など）環境データ、（性別、年齢、体重、体力など）個人属性とに基づいて、蓄積・残存・消費するグリコーゲン量や水分量を推算する方法を採用するように構成したが、その他の方法を用いてもよい。例えば、もっと大まかな必要栄養量や水分量などを用いても推測してもよい。
また、心拍数や（下着内や体表面の）体温、湿度、酸素飽和度、摂取水分量、尿の回数等のその他の指標を用いたり、指標の選択や追加できたりするように構成してもよい。
【００８４】
また、上述の実施形態では、許容量はユーザの身体情報から予め算出するように構成したが、逐次取得される環境情報を加味して、許容量をリアルタイムに変更・設定するように構成してもよい。例えば、湿度や気温が高い場合には、標準の許容量を高めに設定したり、湿度や気温が最適な状態となっている場合には標準の許容量を低めに設定したりする。
また、現在の生体情報を加味して、許容量をリアルタイムに変更・設定するように構成してもよい。例えば、生体情報から体調が悪いと判定された場合には、標準の許容量を高めに設定する。また、湿度や気温が最適な状態になっていたり、生体情報から体調が良かったりした場合には標準の許容量を低めに設定するように構成してもよい。
また、現在の環境情報や生体情報を加味して、消費量の変化の度合いをリアルタイムに変更するように構成してもよい。例えば、湿度や気温が高かったり、生体情報から体調が良好で代謝が良かったりした場合には、消費量の度合いを多くする。
【００８５】
また、上述の実施形態では、出力部２０にメッセージを表示したり、音や光、振動等で報知したりするように構成したが、所定のタイミングで音声によってアドバイスするように構成してもよいし、消費量の変遷や許容量をグラフで表示することでユーザに注意喚起を行うように構成してもよい。
【００８６】
また、上述の実施形態では、例えば、補給が必要なタイミングで報知するように構成してもよいし、補給のタイミングよりも前に予測を報知するように構成してもよいし、補給のタイミングよりも後に限度を超えている場合に報知するように構成してもよい。
【００８７】
また、上述の実施形態では、報知の内容は、消費量・補給量、補給のタイミング、補給の内容を含む。
上述の報知の内容は、単独で報知されるように構成してもよく、また、どのような組み合わせで報知されてもよい。
【００８８】
また、上述の実施形態では、水分量やカロリー等を複合的に加味して、体力と称して扱い、各項目の許容量を上回った際に、報知したり、体力ゲージを表示する等で現状認識をさせたりするように構成することができる。
【００８９】
また、上述の実施形態では、ユーザに補給を促す対象物としては、スポーツドリンク等の水分、固形物、ゼリー状の半固形物等の種々の種類に対応するように構成してもよい。
【００９０】
また、上述の実施形態では、例えば、すぐ・何分以内・何分後まで等の補給の緊急性を考慮して、直感的に理解できる内容や具体的な時間で行うようにしてもよい。また、緊急性の高さに応じて、メッセージを強調して表示したり、音声出力としたり、音声出力時の音量を大きくしたり、バイブレーションと共に行ったり等で複数の異なる報知方法を組み合わせて行うことができる。
【００９１】
また、上述の実施形態では、補給物の種類、内容、量を報知するように構成したが、補給物の補給時の温度を報知するように構成してもよい。この場合、対象者が置かれた環境や、対象者の状況、補給物の種類から補給時の温度を決定する方にすることができる。
例えば、ユーザが炎天下で運動している場合は、極端に冷えたスポーツドリンクではなく、ユーザの急激な体温の低下を考慮して常温のスポーツドリンクを補給するよう促す報知を行うように構成しても良い。また、外気温に比して体温が高い場合には、冷えた飲み物から徐々に温度を高くした飲み物を飲むように、体温を下げるようにするが下げすぎないように段階的な補給を促す報知を行うように構成しても良い。
【００９２】
また、上述の実施形態では、ウェアラブル端末としての携帯端末１と、スマートフォン等の他の携帯端末と、サーバ等で構成し、携帯端末１と他の携帯端末間は近距離無線通信等で随時通信を行って、携帯端末１でセンシングした情報を他の携帯端末を介してサーバにアップロードして、サーバにおいて管理等を行って、表示のみ携帯端末１で行うように構成してもよい。
【００９３】
また、上述の実施形態では、本発明が適用される携帯端末１は、スマートウォッチを例として説明したが、特にこれに限定されない。
例えば、本発明は、状態管理処理機能を有する電子機器一般に適用することができる。例えば、本発明は、ノート型のパーソナルコンピュータ、プリンタ、テレビジョン受像機、ビデオカメラ、携帯型ナビゲーション装置、携帯電話機、デジタルカメラ、スマートフォン、ポータブルゲーム機等に適用可能である。
【００９４】
上述した一連の処理は、ハードウェアにより実行させることもできるし、ソフトウェアにより実行させることもできる。
換言すると、図４の機能的構成は例示に過ぎず、特に限定されない。即ち、上述した一連の処理を全体として実行できる機能が携帯端末１に備えられていれば足り、この機能を実現するためにどのような機能ブロックを用いるのかは特に図４の例に限定されない。
また、１つの機能ブロックは、ハードウェア単体で構成してもよいし、ソフトウェア単体で構成してもよいし、それらの組み合わせで構成してもよい。
本実施形態における機能的構成は、演算処理を実行するプロセッサによって実現され、本実施形態に用いることが可能なプロセッサには、シングルプロセッサ、マルチプロセッサ及びマルチコアプロセッサ等の各種処理装置単体によって構成されるものの他、これら各種処理装置と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ‐Ｐｒｏｇｒａｍｍａｂｌｅ  Ｇａｔｅ  Ａｒｒａｙ）等の処理回路とが組み合わせられたものを含む。
【００９５】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００９６】
このようなプログラムを含む記録媒体は、ユーザにプログラムを提供するために装置本体とは別に配布される図１のリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図１のＲＯＭ１２や、図１の記憶部２１に含まれるハードディスク等で構成される。
【００９７】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
【００９８】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【００９９】
以下に、本願の出願当初の特許請求の範囲に記載された発明を付記する。
［付記１］
対象者に関する生体情報を取得する第１の取得手段と、
前記対象者の行動に関する行動情報を逐次取得する第２の取得手段と、
前記第１の取得手段によって取得された前記生体情報と、前記第２の取得手段によって取得された前記行動情報とに基づいて、前記対象者の身体状況を推定する推定手段と、
前記推定手段によって推定された前記対象者の身体状況に基づく第１の情報を報知する報知手段と、
を備えることを特徴とする電子機器。
［付記２］
前記第１の情報は、前記推定手段による推定結果に基づいて、ユーザに補給を促す旨の情報を含む、
ことを特徴とする付記１に記載の電子機器。
［付記３］
前記第１の情報は、前記推定手段による推定結果に基づいて、補給すべき補給物の種類又は補給タイミングの情報を含む、
ことを特徴とする付記１又は２に記載の電子機器。
［付記４］
前記推定結果と、前記対象者の身体状況に関する所定の基準とを比較する比較手段をさらに備え、
前記報知手段は、前記比較手段による比較結果に基づいて報知を行う、
ことを特徴とする付記２又は３に記載の電子機器。
［付記５］
前記対象者の生体情報に基づいて、当該対象者の身体状況に関する所定の基準を設定する基準設定手段を更に備える、
ことを特徴とする付記１乃至４の何れか１つに記載の電子機器。
［付記６］
前記対象者の周囲の環境の環境情報を取得する第３の取得手段を備え、
前記推定手段は、前記第３の取得手段によって取得された前記環境情報と、前記生体情報と、前記行動情報とに基づいて、前記対象者の身体状況を推定する、
ことを特徴とする付記１乃至５の何れか１つに記載の電子機器。
［付記７］
前記対象者の行動予定を取得する第４の取得手段を備え、
前記報知手段は、前記推定手段によって推定された前記対象者の身体状況と、前記第４の取得手段によって取得された前記対象者の行動予定に基づいて、前記第１の情報を報知する、
ことを特徴とする付記１乃至６の何れか１つに記載の電子機器。
［付記８］
前記第１の情報は、前記対象者の水分又は栄養分の補給のタイミング又は量に関する情報を含む、
ことを特徴とする付記７に記載の電子機器。
［付記９］
前記身体状況は、前記対象者の身体中の水分量又は栄養分の量の状況を含む、
ことを特徴とする付記１乃至８の何れか１つに記載の電子機器。
［付記１０］
前記推定手段は、前記対象者が水分又は栄養分の補給した場合、補給された前記水分量又は栄養分の量に基づいて、前記対象者の身体の状況を推定する、
ことを特徴とする付記９に記載の電子機器。
［付記１１］
前記推定手段は、環境又は前記対象者の身体の変化に基づいて、前記対象者の身体の状況を再推定する、
ことを特徴とする付記１乃至８の何れか１つに記載の電子機器。
［付記１２］
対象者に関する生体情報を取得する第１の取得ステップと、
前記対象者の行動に関する行動情報を逐次取得する第２の取得ステップと、
前記第１の取得ステップによって取得された前記生体情報と、前記第２の取得ステップによって取得された前記行動情報とに基づいて、前記対象者の身体状況を推定する推定ステップと、
前記推定ステップによって推定された前記対象者の身体状況に基づく情報を報知する報知ステップと、
を含むことを特徴とする報知方法。
［付記１３］
コンピュータを、
対象者に関する生体情報を取得する第１の取得手段、
前記対象者の行動に関する行動情報を逐次取得する第２の取得手段、
前記第１の取得手段によって取得された前記生体情報と、前記第２の取得手段によって取得された前記行動情報とに基づいて、前記対象者の身体状況を推定する推定手段、
前記推定手段によって推定された前記対象者の身体状況に基づく情報を報知する報知手段、
として機能させることを特徴とするプログラム。
【符号の説明】
【０１００】
１・・・携帯端末，１１・・・ＣＰＵ，１２・・・ＲＯＭ，１３・・・ＲＡＭ，１４・・・バス，１５・・・入出力インターフェース，１６・・・第１センサ部，１７・・・第２センサ部，１８・・・入力部，１９・・・出力部，２０・・・記憶部，２１・・・通信部，２２・・・ドライブ，３１・・・リムーバブルメディア，５１・・・情報設定部，５２・・・センサ情報取得部，５３・・・状態算出部，５４・・・状態判定部，５５・・・出力制御部，５６・・・状況判定部，７１・・・ログ情報記憶部，７２・・・個体別情報記憶部
【図１】
2017185192.tif 000003
【図２】
2017185192.tif 000004
【図３】
2017185192.tif 000005
【図４】
2017185192.tif 000006
【図５】
2017185192.tif 000007